(57)【特許請求の範囲】
【請求項１】
ブーム先端のトップ支持フレームに垂下され、軸回りに旋回可能に設けた旋回マストと、該旋回マストの上端と下方部に設けたスプロケットに旋回マストの長手方向に沿って掛け渡すように設けた無端状のバケットエレベータと、上部スプロケットの下方に位置し、バケットエレベータのバケットから放出されるばら物を受け入れるテーブルフィーダと、バケットから放出されるばら物をテーブルフィーダに案内するシュートとを有する連続式アンローダにおいて、前記旋回マストの上部に配設したシュートの上方にシュートの開口部を開閉するシュート遮蔽板を開閉可能に枢着し、該シュート遮蔽板の周縁部に弾生体からなる防水部材を設けたことを特徴とする連続式アンローダのシュート遮蔽装置。
【発明の詳細な説明】
【０００１】
【産業上の利用分野】
本発明は連続式アンローダのシュート遮蔽装置に係るもので、特に鉄鉱石や石炭などのばら物を船倉内から連続的に陸揚げするための連続式アンローダのシュート遮蔽装置に関するものである。
【０００２】
【従来の技術】
連続式アンローダは、船倉内のばら物（荷）の掘削，掻き取り，垂直運搬を同時に行う一条のバケットエレベータを先端に有し、バケット内に掻き取られた荷はエレベータ最上部まで運ばれ、シュートを介してテーブルフィーダに搬出される。次いで、ブーム上のベルトコンベヤや機内コンベヤなどを乗り継いで地上側設備まで搬送される。
【０００３】
このような作業を継続すると、特に鉄鉱石の作業を行った場合などには、特殊な粉鉱石がバケットエレベータのバケット，チエーンおよび旋回マスト（ケーシング）の内面などにも付着する。バケットやチエーンなどに粉鉱石が付着するとブームの先端が重くなり、過負荷となって荷役効率が低下する。
【０００４】
このため従来は、バケットやチエーンなどに粉鉱石が付着すると荷役作業をいったん中止し、バケットエレベータの下端部を水の中に入れ粉鉱石を洗い落としている。この水洗いをするには、まずブームを起し、船倉内から掻取り部を取り出し旋回させ、掻取り部を地上に設置してある水槽内に入れ、バケットエレベータを低速でゆっくり回転させながら洗浄している。
【０００５】
すなわち、水槽内の水（洗浄水）をバケットエレベータのバケットでくみ上げ、荷役作業と同様、上部スプロケットまでくみ上げ、上部スプロケット上で、バケットを傾動して放出される。放出された洗浄水は、一部は旋回マスト内を通って再び水槽内に流下させる。また、一部の水はシュートを通ってテーブルフィーダに放出されるが、テーブルフィーダに放出されると荷の搬送と同様、ブーム上のコンベヤや機内コンベヤなどを乗り継ぎ地上の排水溝などに流され、最後は環境汚染を生じさせないよう特別に設置した水処理設備で浄化され処分される。
【０００６】
【発明が解決しようとする課題】
ところで、粉鉱石が最も付着するのはバケットエレベータのバケットやチエーンおよび旋回マストの内側であり、この回りの付着が過負荷の大きな要因となるので、そのバケットエレベータの周辺を中心に水洗いを行うようにすれば洗浄水をブームのコンベヤや機内コンベヤなどを乗り継ぎ地上の排水溝まで流す必要がない。
【０００７】
しかしながら、洗浄水でバケットエレベータを洗浄するとバケットでくみ上げられた水の一部が、荷の搬送と同様、ブーム上のコンベヤや機内コンベヤなどを乗り継ぎ地上の排水溝などに流されるため、洗浄水を処理するための水処理設備を特別に設置しなければならない。また、排水溝の無い岸壁などでは使用済み洗浄水の処理に困る。さらに、洗浄した際に生じる汚水によりその周辺が汚れてしまうなどの問題があった。
【０００８】
本発明はかかる問題点に鑑み創案されたもので、バケットエレベータを洗浄する際、洗浄水をバケットエレベータでくみ上げながら繰り返し使用してバケットエレベータ周辺のバケット，チエーンおよび旋回マストの内側などを中心に水洗いを行うようにし、洗浄水はブーム上のコンベヤや機内コンベヤなどには流さないようにした連続式アンローダのシュート遮蔽装置を提供することを目的とするものである。
【０００９】
【課題を解決するための手段】
上記目的を達成するため本発明の連続式アンローダのシュート遮蔽装置 は、ブーム先端のトップ支持フレームに垂下され、軸回りに旋回可能に設けた旋回マストと、該旋回マストの上端と下方部に設けたスプロケットに旋回マストの長手方向に沿って掛け渡すように設けた無端状のバケットエレベータと、上部スプロケットの下方に位置し、バケットエレベータのバケットから放出されるばら物を受け入れるテーブルフィーダと、バケットから放出されるばら物をテーブルフィーダに案内するシュートとを有する連続式アンローダにおいて、前記旋回マストの上部に配設したシュートの上方にシュートの開口部を開閉するシュート遮蔽板を開閉可能に枢着し、該シュート遮蔽板の周縁部に弾生体からなる防水部材を設けた。
【００１０】
【作用】
旋回マストの上部に配設したシュートの上方にシュートの開口部を開閉するシュート遮蔽板を開閉可能に枢着して、バケットエレベータを洗浄するするときは、シュートの開口部を閉じて水はすべてバケットエレベータの旋回マスト内を流下して水槽内に戻すことにより、その洗浄水をバケットエレベータとその周辺でだけ繰り返し使用し、ブーム上のコンベヤや機内コンベヤなどには流さないようにしたので、洗浄水を処理するための水処理設備を特別に設置する必要がなく、また、洗浄した際に生じる汚水によりその周辺が汚れてしまうようなこともない。
【００１１】
【実施例】
以下、本発明の一実施例について図面に基づいて説明する。図１は本発明の連続式アンローダのシュート遮蔽装置の側面図、図２は図１の要部拡大図、図３は図２のＡ−Ａ矢視図、図４は図３のＢ−Ｂ矢視図、図５は図４に相当する部分の他の実施例を示す図、図６はバケットエレベータの洗浄状態を示す概要図、図７は連続式アンローダ全体の概要図である。
【００１２】
連続式アンローダは、図７に示すように荷積みや荷降ろすを行う岸壁などに走行可能に設けられている。その連続式アンローダは、地上１に敷設されているレール２上を走行可能に設置され、主にこのレール２上を走行する走行フレーム３と、この走行フレーム３に旋回可能に、かつ、俯仰可能に設けられたブーム４と、このブーム４の先端部に設けられた支持フレーム５に旋回可能に支承されるとともに鉛直方向に垂下された旋回マスト１１と、この旋回マスト１１の上端に設けられた上部スプロケット６と、下方部に設けられた下部スプロケット７および先端スプロケット８と、これらスプロケット６，７および８に旋回マスト１１の長手方向に沿って掛け渡すように設けられた無端状のバケットエレベータ１５から構成されている。そして、このバケットエレベータ１５は、チエーン９とこのチエーン９に設けられている複数個のバケット１０とから構成されている。なお、２７はブーム４上に設けたコンベヤ，２８は走行フレーム３上に設けた機内コンベヤ，２９は地上１に設けた地上コンベヤであり、３０は船倉である。
【００１３】
図１に示すように、２６は上部スプロケット６の下方部に設けられたテーブルフィーダで、このテーブルフィーダ２６の上方であって、上部スプロケット６の下方部に位置するようにシュート１２が設けられている。このシュート１２の開口部１２ａの上部にはシュート遮蔽板１３が旋回マスト１１に取り付けられたブラケット２０，２０ａに軸２１により開閉可能に枢着されている。また、シュート遮蔽板１３の４周端部の下面には、図３および図４に示すように、弾性体製の板状防水部材３１が複数個のピン３２によって固定され装着されている。なお、この板状防水部材３１に代え、図５に示すように、弾性体製の円筒状防水部材３３を装着してもよい。３４はこの円筒状防水部材３３を装着するための凹状取付け部材でシュート遮蔽板１３の４周端部の下面に固着しておく。３５は凹状取付け部材３４の補強用ブラケットである。
【００１４】
図２はシュート遮蔽板１３の開閉状態を示しているが、シュート遮蔽板１３は、油圧シリンダ１４のピストンロッド１４ａの伸縮により開閉が行われる。そして、ピストンロッド１４ａの縮み作動によりシュート１２の上部の開口部１２ａを閉め（実線で示す）、ピストンロッド１４ａの伸び作動によりシュート１２の開口部１２ａを開く（１点鎖線で示す）。この開閉の際、シュート遮蔽板１３に装着されている板状防水部材３１は、折り曲げられた状態（図４の１点鎖線で示す）でシュート１２の開口部１２ａを上下方向に通過する。また、円筒状防水部材３３は、押しつぶされた状態（図５の１点鎖線で示す）でシュート１２の開口部１２ａを上下方向に通過する。前記油圧シリンダ１４は、基端部の突出部材１９と旋回マスト１１に取り付けられたブラケット１７にピン１８により揺動可能に枢着されている。また、ピストンロッド１４ａは、シュート遮蔽板１３に固設したアーム１６とピン１８ａにより連結されている。２２は旋回マスト１１に設けられたアーム１６を貫通させるためのスリットである。なお、油圧シリンダ１４の代わりに空気圧シリンダとしてもよい。
【００１５】
バケットエレベータ２３の洗浄は、図６に示すように、バケットエレベータ１５の下部を水槽２４の洗浄水２５の中に入れて行う。水槽２４は可搬式で、使用する際、他の場所から地上１の所定箇所に移載し、あらかじめ洗浄水２５を入れておく。
【００１６】
次に、上記実施例の作用を説明する。
連続式アンローダにより船倉３０内の荷を搬出するときは、シュート遮蔽板１３を垂直にしてシュート１２の開口部１２ａを開き、荷をシュート１２を介してテーブルフィーダ２６上に落とし、ブーム４上のコンベヤ２７，機内コンベヤ２８および地上コンベヤ２９などを乗り継いで地上１側の設備まで搬送する。その荷役作業中にバケット１０やチエーン９などに粉鉱石が付着すると荷役作業をいったん中止する。そして、まずブーム４を起こし、船倉３０内からバケットエレベータ１５の掻取り部２３を取り出して旋回させ、あらかじめ地上に設置しておいた水槽２４内に入れる。次に、シュート遮蔽板１３を斜め下方向としてシュート１２の開口部１２ａを閉め、バケットエレベータ１５を低速でゆっくり回転させ、洗浄水２５をバケット１０で上部スプロケット６までくみ上げ流下させながら粉鉱石を洗い落とす。この際、洗浄水２５は、シュート遮蔽板１３によりシュート１２が閉められているので、ブーム４上のコンベヤ２７，機内コンベヤ２８および地上コンベヤ２９に流れることはなく、旋回マスト１１内を流下して水槽２４内にすべて戻る。
【００１７】
したがって、水槽２４内の洗浄水２５を繰り返し使用するので、外部に流出した水を処理するための水処理設備を特別に設置する必要がなく、また、洗浄した際に生じる汚水によりその周辺が汚れてしまうようなこともない。
【００１８】
本発明は上記実施例に限定されるものではなく、特許請求の範囲に記載されている技術思想を逸脱しない範囲内で種々変更し得ることは勿論である。
【００１９】
【発明の効果】
以上述べたように、本発明の連続式アンローダのシュート遮蔽装置は、連続式アンローダの旋回マストの上部に配設したシュートの上方にシュートの開口部を開閉するシュート遮蔽板を開閉可能に枢着し、荷役作業中はシュート遮蔽板によってシュートの開口部を開いて荷を地上側に搬送し、バケットエレベータを洗浄するときはシュートの開口部を閉じ洗浄水を地上側に流さないようにしたので、洗浄水を処理するための水処理設備を特別に設置する必要がなく、また、洗浄した際に生じる汚水によりその周辺が汚れてしまうようなこともないなど、優れた効果を奏する。
【図面の簡単な説明】
【図１】本発明の連続式アンローダのシュート遮蔽装置の側面図である。
【図２】図１の要部拡大図である。
【図３】図２のＡ−Ａ矢視図である。
【図４】図３のＢ−Ｂ矢視図である。
【図５】図３のＢ−Ｂ矢視図に相当する部分の他の実施例を示す。
【図６】バケットエレベータの洗浄状態を示す概要図である。
【図７】連続式アンローダ全体の概要図である。
【符号の説明】
１  地上
２  レール
３  走行フレーム
４  ブーム
５  支持フレーム
６  上部スプロケット
７  下部スプロケット
８  先端スプロケット
９  チエーン
１０  バケット
１１  旋回マスト
１２  シュート
１２ａ  シュート開口部
１３  シュート遮蔽板
１４  シリンダ
１４ａ  ピストンロッド
１５  バケットエレベータ
１６  アーム
１７  ブラケット
１８  ピン
１８ａ  ピン
１９  突起部材
２０，２０ａ  ブラケット
２１  軸
２２  スリット
２３  掻取り部
２４  水槽
２５  洗浄水
２６  テーブルフィーダ
２７  ブーム上のコンベヤ
２８  機内コンベヤ
２９  地上コンベヤ
３０  船倉
３１  板状防水部材
３２  板状防水部材固定ピン
３３  筒状防水部材
３４  凹状の筒状防水部材取付け部材
３５  ブラケット
【図１】
0003675893.tif 000002
【図２】
0003675893.tif 000003
【図３】
0003675893.tif 000004
【図４】
0003675893.tif 000005
【図５】
0003675893.tif 000006
【図６】
0003675893.tif 000007
【図７】
0003675893.tif 000008